(57)【要約】【課題】本発明は，液滴が精度良く吐出され，液滴液量のばらつきが小さくでき，小形な液滴吐出装置およびその駆動方法を提供することを目的とする。【解決手段】ノズル５に内包された液面検出センサ６を備えた構成にし，ノズル５先端に残存する液量が吸引される工程，所要量の液量が分注される吐出工程，吐出液滴が切り離される吸引工程の手順をとったものである。 【選択図】図１
2010025953.tif 000002
【特許請求の範囲】
【請求項１】
シリンジに内包されたピストンと，前記シリンジから突出した前記ピストンの端面に連結されたナットと，前記ナットと螺合したボールねじと，前記ボールねじを駆動するモータと，液滴を吐出するために前記シリンジ吐出口先端に具備されたノズルとを備え
前記ノズル先端に残存する液量が吸引される吸引工程，所要量の液量が分注される吐出工程，吐出液滴が切り離される吸引工程の手順で，液滴が吐出されることを特徴とする液滴吐出装置の駆動方法。
【請求項２】
前記吸引，吐出，吸引工程の駆動パターンは，ピストンの移動量が一定になるように，一定速度領域が加減算により自動演算されるようにしたことを特徴とする請求項４に記載の液滴吐出装置の駆動方法。
【請求項３】
前記吸引，吐出，吸引工程の駆動パターンは，ピストンの移動量が一定となるように，減速領域で減速時間が自動演算されるようにしたことを特徴とする請求項４に記載の液滴吐出装置の駆動方法。
【請求項４】
前記駆動パターンが記憶される駆動パターン保存部と，駆動パターンが生成される指令生成部とからなる制御装置を備えたことを特徴とした請求項４乃至６に記載の液滴吐出装置の駆動方法。
【発明の詳細な説明】
【技術分野】
【０００１】
本発明は、生化学的分析，免疫学的分析などに用いる試薬分注その他の液体容器内の液体を所定量吸引・分注する際に，容器内の液体を少量かつ正確に吸引し，精度良く分注できるようにした液滴吐出装置および駆動方法に関する。  
【背景技術】
【０００２】
従来のピペット式の液滴吐出装置について図６を用いて説明する。１００はステッピングモータ，１１１はボールねじ，１１２は駆動筒体，１１３はピストンロッド，１２０は高速プランジャー，１３０はステッピングモータ，１４０はピペット，１４５は液体吸引用シリンジ，１５０は切替弁，１６０は第２ポート，１７０は開閉弁，１８０は加圧・洗浄用シリンジ，１９０は圧送流路である。
従来のピペット式の液滴吐出装置は，所要量の液を吸引するピペット１４０と，該ピペット１４０による吸引分注作業を行う液体吸引用シリンジ１４５と，該液体吸引用シリンジ１４５とピペット１４０を連通接続するピペット側流路２００の中途に介装された高速プランジャー１２０と，前記ピペット側流路２００に連通接続された圧送流路１９０と該圧送流路１９０の終端部に連通接続された加圧・洗浄用シリンジ１８０と，前記圧送流路１９０の中途部に介装された切替弁１５０から構成されており，前記ピペット１４０で吸引された液は，所要量づつ分注する構成となっている。（特許文献１）
【０００３】
次に液体を吸引する場合について説明する。ピペット１４０は，ステッピングモータ１３０により正逆回転制御されるボールねじにより，被吸引液収納容器内の液体中に下降されて浸漬する。この後，高速プランジャー１２０はONに，切換弁１５０は第2ポート１６０を連通状態に，開閉弁１７０は閉状態にセットする。この状態で加圧・洗浄用シリンジ１８０は，圧送流路１９０およびピペット側流路２００内を加圧する。被吸引液収納容器内の液体はピストンロッド１１３が下降し，吸引される。ピストンロッド１１３は，ステッピングモータ１００により正逆回転制御されるボールねじ１１１に螺合された駆動筒体１１２に連結されており，昇降制御されている。この時，加圧・洗浄用シリンジ１８０は，圧送流路１９０およびピペット側流路２００内が洗浄液と空気とが一定の割合となるように駆動制御している。
【０００４】
液体を分注する場合について説明する。加圧・洗浄用シリンジ１８０が圧送流路１９０およびピペット側流路２００内を加圧した後，ピペット１４０はステッピングモータ１３０によって該分注位置で下降され，高速プランジャー弁１２０を所定時間ON状態にすることで，所要量の液体が分注される。この分注量は，高速プランジャー１２０のON状態の時間で制御されていた。
【特許文献１】特開２００４-６１１５３公報（第５頁、図１）
【発明の開示】
【発明が解決しようとする課題】
【０００５】
ところが従来の液滴分注装置によると，洗浄液と空気が一定の割合になるようにしてピペット側流路は加圧されているが，空気は加圧の際には圧縮し，高速プランジャーを開にした際には膨張することや，周囲の温度や気圧等の環境変化により膨張率が変化すること等で，加圧量が一定でなくなるために，分注量のばらつきが生じていた。
また，液量は高速プランジャーのON状態の開放時間で制御されているが，分注量のばらつきは，液体の表面張力や，分注後にノズル先端に残存する液量が影響するために生じていた。このため，精度良い液量が得られないという問題があった。このような液量のばらつきが生じると，分析結果に定量性が得られず，DNA解析等の定量性を必要とする分析では再試験を行わなければならなくなり，高価な液体が無駄となってしまうという問題が生じていた。
また，シリンジと，ピストン駆動用のステッピングモータと，ピストン移動用のボールねじと，高速ブランジャー等からなるサンプル液の制御システムと，切換バルブとピストン駆動用のステッピングモータとボールねじ等からなる加圧・洗浄システムから構成されており，液体は，２つのシステムにより吐出されていたため装置が大きくなっており，複数の軸で同時に分注作業が行われると，装置が大きいために設置スペースに収まらないという問題が生じていた。
本発明はこのような問題点を鑑みてなされたものであり、液滴が精度良く吐出され，液滴液量のばらつきが小さくでき，小形な液滴吐出装置およびその駆動方法を提供することを目的とする。
【課題を解決するための手段】
【０００６】
上記問題を解決するため、本発明は、次のようにしたのである。
請求項１に記載の発明は，ノズル先端に残存する液量が吸引される吸引工程，所要量の液量が分注される吐出工程，吐出液滴が切り離される吸引工程の手順で処理されるものである。
また，請求項２に記載の発明は，前記吸引，吐出，吸引工程の駆動パターンが，移動量が一定になるように，一定速度領域が加減算により自動演算されるようにしたものである。
また、請求項３に記載の発明は、前記吸引，吐出，吸引工程の駆動パターンが，移動量を一定となるように，減速領域で減速時間が自動演算されるようにしたものである。
また，請求項４に記載の発明は，前記駆動パターンが記憶される駆動パターン保存部と，駆動パターンが生成される指令生成部とからなるものである。
【発明の効果】
【０００７】
請求項１から３に記載の発明によると、所要量の液量が吐出される工程で，駆動パターンが自動計算で生成されるので，液量のばらつきの減少させる条件が容易に最適化される。
また，請求項４に記載の発明によると，駆動パターンの保存部が備えられたことにより，駆動パターンと液量の関係が容易に比較され，保存された駆動パターンが用いられることで液量の最適化が図れる。
以上のように請求項１から４に記載した発明によると，ノズル先端に残存する液だまりが液面検出センサにより検出され，駆動パターンが最適化されることで，精度良い吐出量を得ることができる。また，ノズル先端に液面検出センサが備えられた簡便な構造からなるので小型化が容易である。
【発明を実施するための最良の形態】
【０００８】
以下、本発明の液滴吐出装置の具体的実施例について、図１に基づいて説明する。
【実施例１】
【０００９】
図１は、本発明の方法を実施する液滴吐出装置の構成を示す断面図である。図において，１はモータ，２はボールねじ，２１はナット，３はピストン，４はシリンジ，５はノズル，６は液面検出センサである。
液滴吐出装置は，モータ１に連結されたボールねじ２と，ボールねじ２に螺合したナット２１と，ナット２１と連結し，かつシリンジ４内を往復運動するピストン３と，シリンジ４に取り付けられたノズル５と，ノズル先端に配置された液面検出センサ６とから構成されている。
モータ１が正逆に回転すると，ボールねじ２に螺合したナット２１に連結されたピストン３は，シリンジ４内を往復運動する。シリンジ４の吐出口に具備されたノズル５を通して，液体は吸引，吐出される。液面検出センサ６はノズル５先端の液体の有無を検出する。
液面検出センサ６は図２に示す構成からなる。ノズル５がガラスや快削性セラミック等の絶縁材料で作製されおり，凸部５１は，ノズル５先端に対向するように2箇所に設けられている。また，電極６１は対向して凸部５１に勘合するように配置されている。
ここでは，凸部５１を設けた絶縁体からなるノズル５を用いて説明したが，別のノズル形状としては図３に示すように，ノズル５は，先端に凸部５１が設けられ，アルミニウムやSUS304などの金属材料からされている。金属電極６１は，フッ素樹脂等からなる絶縁層６２が金属電極６１に被膜されており，ノズル５の凸部５１に勘合されている。
また，これとは逆に，金属電極６１が金属材料で形成され，金属材料からなるノズル５表面がアルマイト処理やフッ素樹脂被膜等の絶縁処理された膜で形成されても良い。
【００１０】
ノズル５先端の液体有無は，電極６１間の静電容量の変化により求められる。静電容量は，式１に示す関係から求められる。電極６１間に液体であるグリセリンがある場合，グリセリンの比誘電率は42.5であるので，静電容量は空気の場合の約42倍を検出される。このように，比誘電率に比例した静電容量が検出されることで，液体の有無が検出される。
【００１１】
【数１】
2010025953.tif 000003
【００１２】
液体を吐出する状態を図４を用いて説明する。液体が吸引されると、ノズル５先端には，図４(a)のように液体の表面張力による液だまりが生じている。この時， Highの静電容量が電極６１で検出される。
次にノズル５先端に残存する液量を吸引する吸引工程（図４(b)）では，液体は電極６１間の静電容量の値がLowの値になるまで吸引される。すなわち，空気の状態になるまで吸引され，液体は，完全にノズル５中に入った状態である。
次に液体が分注される吐出工程（図４(c)）では，液体はノズル５先端より吐出され，液滴が形成される。静電容量は液滴が残存する状態で，Highの値を示す。
次に液滴を切り離す吸引工程（図４(d)）では，液滴は急激に吸引されることで切断され，図示しない測定容器に滴下される。静電容量は，吸引されることでLowの値を示す。
このように，液体が吐出される前に，ノズル５先端に残存する液量が液面検出センサ６により検出され、ノズル５先端に残存する液体が吸引される工程で，液面検出センサ６で液面が検知されない位置まで液体が吸引されることにより，ノズル５先端に残存する液だまりの大きさに関係なく，吐出液量のばらつきは減少する。また，液体が吐出された後に，液滴を切り離す吸引工程が行われることで，液滴の液切れが良くなり，ノズル５先端の液だまりが生じることがないことにより，吐出液量のばらつきは減少する。
【００１３】
液滴が吐出される時の駆動パターンの生成方法について図５を用いて説明する。速度台形の速度パターン（点線）から，加速時にオーバシュートを加えた場合（図５(a)），オーバシュート分が設定容量より多く吐出されてしまう。ここで，液滴の吐出現象について考察すると，微量な液滴が吐出されるためには，液体の表面張力との関係から式２から求められる加速度が必要である。このため，加速領域の傾きは調整できない。しかし，一定速度領域は，図５(b)に示すように速度リプルが生じても，液量に脈動は生じるが，液量には影響しない。そこで，この一定速度領域でオーバシュートを含む速度パターンの移動量が，速度台形パターンの移動量と等しくなるように減算計算して求められる。
【００１４】
【数２】
2010025953.tif 000004
【００１５】
また，加速領域にオーバシュートを加えた場合の別の駆動パターン生成方法は図６に示すように，減速時間を移動量が一定になるように減速時間を計算して求められる。減速領域は液体が制動すれば良いので，加速度と減速度が一致する必要はない。
このように，液体が吐出される工程で，設定液量が駆動パターンの自動計算で容易に生成されることにより，液量のばらつきが少ない条件が容易に最適化される。
【実施例２】
【００１６】
図７(a)に示すように，モータ１の制御装置７は，移動量を設定する指令生成部７１と，モータの位置を求めるエンコーダ信号処理部７４と，エンコーダ信号処理部７４から得られる位置情報と指令を比較しゲインを調整するゲイン調整部７２と，ゲインに比例した電流を生成する電流アンプ７３と，エンコーダ信号処理部７４で求められた位置情報に基づいた駆動速度に換算され，駆動パターンが保存される速度パターン保存部７５とから構成されている。
液量の評価結果と駆動パターンが比較されることで，最適な駆動パターンが図７(b)に示すような速度パターンで得られた場合，この速度パターンデータは，速度パターン保存部７５に保存されることで，駆動パターンは最適化される。
このように，ノズル先端に液面検出センサが備えられた簡便な構造からなるので小型化が容易である。また，ノズル先端に残存する液だまりが液面検出センサにより検出され，駆動パターンが最適化されることで，精度良い吐出量が得られる。 
【産業上の利用可能性】
【００１７】
本装置は，精度良く液滴が吐出されるので DNA解析等の生化学的分析だけでなく，微量液量が取り扱われる免疫学的分析等の分野の分注装置へも適用できる。
【図面の簡単な説明】
【００１８】
【図１】本発明の第1の実施例を示す液滴吐出装置の側断面図
【図２】本発明の第1の実施例を示す液面検出センサの断面図
【図３】本発明の第1の実施例を示す絶縁膜を具備した液面検出センサの断面図
【図４】本発明の第1の実施例を示す液滴の吐出手順と液面検出センサ出力
【図５】本発明の第1の実施例を示す一定速度領域での補正速度パターン
【図６】本発明の第1の実施例を示す減速領域での補正速度パターン
【図７】本発明の第２の実施例を示す制御装置と速度パターンデータ
【図８】従来の液滴吐出装置を示す図
【符号の説明】
【００１９】
１  モータ
２  ボールねじ
２１  ナット
３  ピストン
４  シリンジ
５  ノズル
５１  凸部
６  液面検出センサ
６１  ノズル
６２  絶縁層
７  制御装置
７１  指令生成部
７２  ゲイン調整部
７３  電流アンプ
７４  エンコーダ信号処理部
７５  速度パターン保存部
１００  ステッピングモータ
１１１  ボールねじ
１１２  駆動筒体
１１３  ピストンロッド
１２０  高速プランジャー
１３０  ステッピングモータ
１４０  ピペット
１４５  液体吸引用シリンジ
１５０  切換弁
１６０  第2ポート
１７０  開閉弁
１８０  加圧・洗浄用シリンジ
１９０  圧送流路
２００  ピペット側流路
【図１】
2010025953.tif 000005
【図２】
2010025953.tif 000006
【図３】
2010025953.tif 000007
【図４】
2010025953.tif 000008
【図５】
2010025953.tif 000009
【図６】
2010025953.tif 000010
【図７】
2010025953.tif 000011
【図８】
2010025953.tif 000012